(57)【要約】【課題】  車いす利用者が車いすの座席に座ったままの状態でエレベータを携帯電話機を使用して遠隔操作することが可能なエレベータの遠隔制御システムの提供。【解決手段】  エレベータの遠隔制御システムＳは、エレベータ１と携帯電話機２とからなる。携帯電話機２の全体制御部２６が携帯電話機２の入力操作部２３から入力された各種の操作信号を携帯電話機２の近距離通信部２０を経由してエレベータ１の近距離通信部１０に送信する。エレベータ１の近距離通信部１０が携帯電話機２の近距離通信部２０から送信された各種の操作信号を受信する。エレベータ１のエレベータ制御部１３が受信した各種の操作信号に応じてエレベータ１の運転を自動的に制御する。【選択図】        図１
2005096982.tif 000002
【特許請求の範囲】
【請求項１】
建物内に設置され、乗客を乗せて上下に運搬するためのエレベータ乗りかごを備えたエレベータと、前記エレベータを離れた位置から遠隔操作するためのリモコン機能を備えた携帯電話機とからなり、前記エレベータを前記携帯電話機を使用して無線で遠隔制御するエレベータの遠隔制御システムであって、
前記エレベータは、近距離通信部と通信手順管理部と制御記憶部とエレベータ制御部と全体制御部とを有し、前記携帯電話機は、近距離通信部と通信手順設定部と記憶部と入力操作部と表示部と音声出力部と全体制御部とを有し、前記携帯電話機の全体制御部は、前記携帯電話機の入力操作部から入力された前記エレベータ乗りかごの乗場呼びや行先呼びなどの各種の操作信号を前記携帯電話機の近距離通信部を経由して前記エレベータの近距離通信部に送信する機能を備え、前記エレベータの近距離通信部は、前記携帯電話機の近距離通信部から送信された前記エレベータ乗りかごの乗場呼びや行先呼びなどの各種の操作信号を受信する機能を備え、前記エレベータのエレベータ制御部は、受信した前記エレベータ乗りかごの乗場呼びや行先呼びなどの各種の操作信号に応じて前記エレベータの運転を自動的に制御する機能を備えたことを特徴とするエレベータの遠隔制御システム。
【請求項２】
上記携帯電話機の全体制御部は、前記携帯電話機の近距離通信部と上記エレベータの近距離通信部との間での通信が不可能である場合に、通信手順の規約である通信プロトコルを設定する機能を備えている請求項１に記載のエレベータの遠隔制御システム。
【請求項３】
上記携帯電話機の全体制御部は、上記通信プロトコルの送信要求を前記携帯電話機の近距離通信部を経由して上記エレベータの近距離通信部に送信する機能を備え、前記エレベータの近距離通信部は、前記携帯電話機の近距離通信部から送信された前記通信プロトコルの送信要求を受信する機能を備えている請求項１または２に記載のエレベータの遠隔制御システム。
【請求項４】
上記エレベータの全体制御部は、上記携帯電話機から前記エレベータに上記通信プロトコルの送信要求がある場合に、前記通信プロトコルの送信要求に応答して通信手順を管理する前記エレベータの通信手順管理部から前記通信プロトコルを取得する機能と、取得した前記通信プロトコルを前記エレベータの近距離通信部を経由して前記携帯電話機の近距離通信部に送信する機能とを備え、前記携帯電話機の近距離通信部は、前記エレベータの近距離通信部から送信された前記通信プロトコルを受信する機能を備え、前記携帯電話機の全体制御部は、受信した前記通信プロトコルを前記携帯電話機の通信手順設定部に記憶する機能を備えている請求項１乃至３のいずれかに記載のエレベータの遠隔制御システム。
【請求項５】
上記携帯電話機の全体制御部は、上記エレベータ乗りかごの乗場呼び登録や行先階登録などのエレベータサービスの要求を前記携帯電話機の近距離通信部を経由して上記エレベータの近距離通信部に送信する機能を備え、前記エレベータの近距離通信部は、前記携帯電話機の近距離通信部から送信された前記エレベータ乗りかごの乗場呼び登録や行先階登録などのエレベータサービスの要求を受信する機能を備えている請求項１乃至４のいずれかに記載のエレベータの遠隔制御システム。
【請求項６】
上記エレベータの全体制御部は、上記携帯電話機から前記エレベータに上記エレベータ乗りかごの乗場呼び登録や行先階登録などのエレベータサービスの要求がある場合に、上記エレベータ乗りかごの行先の要求階数を前記エレベータの制御記憶部に設定する機能を備えている請求項１乃至５のいずれかに記載のエレベータの遠隔制御システム。
【請求項７】
上記エレベータの全体制御部は、上記エレベータ乗りかごの上行き要求である場合に、前記エレベータ乗りかごの上行きを前記エレベータの制御記憶部に設定する機能を備えている請求項１乃至６のいずれかに記載のエレベータの遠隔制御システム。
【請求項８】
上記エレベータの全体制御部は、上記エレベータ乗りかごの下行き要求である場合に、前記エレベータ乗りかごの下行きを前記エレベータの制御記憶部に設定する機能を備えている請求項１乃至７のいずれかに記載のエレベータの遠隔制御システム。
【請求項９】
上記エレベータの全体制御部は、上記エレベータ乗りかごの行先階数の指定がある場合に、前記エレベータ乗りかごの停止階数を前記エレベータの制御記憶部に設定する機能を備えている請求項１乃至８のいずれかに記載のエレベータの遠隔制御システム。
【請求項１０】
上記エレベータの全体制御部は、上記エレベータ乗りかごの乗場呼び登録や行先階登録などのエレベータサービスの要求を受理したことを前記エレベータの近距離通信部を経由して上記携帯電話機の近距離通信部に送信する機能を備えている請求項１乃至９のいずれかに記載のエレベータの遠隔制御システム。
【請求項１１】
上記携帯電話機は、通常の電話モードと上記エレベータを遠隔操作するリモコンモードとに切換え可能である請求項１に記載のエレベータの遠隔制御システム。
【請求項１２】
上記エレベータの全体制御部は、上記携帯電話機を所持する車いす利用者の入力操作による操作信号を一般の乗客の手動操作よりも優先して受け付ける機能を備えている請求項１に記載のエレベータの遠隔制御システム。
【請求項１３】
上記携帯電話機の全体制御部は、前記携帯電話機の入力操作部に上記車いす利用者により本人確認用の暗証番号が入力された場合に、入力された前記暗証番号を前記携帯電話機の近距離通信部を経由して上記エレベータの近距離通信部に送信する機能を備え、前記エレベータの近距離通信部は、前記携帯電話機の近距離通信部から送信された前記暗証番号を受信する機能を備え、前記エレベータの全体制御部は、前記携帯電話機の入力操作部から入力された前記暗証番号と前記エレベータの制御記憶部に予め登録されている暗証番号とを照合する機能と、入力された前記暗証番号と予め登録されている前記暗証番号とが一致した時、前記携帯電話機の近距離通信部と前記エレベータの近距離通信部との間での通信を許可する機能とを備えている請求項１に記載のエレベータの遠隔制御システム。
【請求項１４】
上記携帯電話機の全体制御部は、上記エレベータ乗りかごが指定された階数に到着したことを前記携帯電話機の表示部に表示する機能を備えている請求項１に記載のエレベータの遠隔制御システム。
【請求項１５】
上記携帯電話機の音声出力部は、上記エレベータ乗りかごが指定された階数に到着したことを音声で出力する機能を備えている請求項１に記載のエレベータの遠隔制御システム。
【請求項１６】
上記携帯電話機は、上記エレベータに対して通信を要求する共通信号を送り込む機能を備えている請求項１に記載のエレベータの遠隔制御システム。
【請求項１７】
上記携帯電話機の全体制御部は、上記エレベータに対応するリモコン操作情報の送信要求を前記携帯電話機の近距離通信部を経由して前記エレベータの近距離通信部に送信する機能を備え、前記エレベータの近距離通信部は、前記携帯電話機の近距離通信部から送信された前記リモコン操作情報の送信要求を受信する機能を備えている請求項１に記載のエレベータの遠隔制御システム。
【請求項１８】
上記エレベータの全体制御部は、上記携帯電話機から前記エレベータに上記リモコン操作情報の送信要求がある場合に、前記リモコン操作情報の送信要求に応答して前記エレベータの制御記憶部に記憶されている前記リモコン操作情報を読み出す機能と、読み出した前記リモコン操作情報を前記エレベータの近距離通信部を経由して前記携帯電話機の近距離通信部に送信する機能とを備え、前記携帯電話機の近距離通信部は、前記エレベータの近距離通信部から送信された前記リモコン操作情報を受信する機能を備え、前記携帯電話機の全体制御部は、受信した前記リモコン操作情報を前記携帯電話機の記憶部に記憶する機能を備えている請求項１７に記載のエレベータの遠隔制御システム。
【請求項１９】
上記リモコン操作情報は、上記携帯電話機を汎用リモコン設定する情報を含んでいる請求項１８に記載のエレベータの遠隔制御システム。
【請求項２０】
上記携帯電話機は、上記エレベータとの最適な通信モードを自動的に設定するオートネゴシエーション機能付き汎用リモコンである請求項１に記載のエレベータの遠隔制御システム。
【発明の詳細な説明】
【技術分野】
【０００１】
本発明は、特に、車いすを利用する歩行の不自由な車いす利用者が車いすの座席に座ったままの状態でエレベータを遠隔操作するのに最適なエレベータの遠隔制御システムに関するものである。
【背景技術】
【０００２】
従来、エレベータホールやエレベータかご内のボタンを操作することなくエレベータ利用者の手元で乗車呼び，かご呼びなどの操作を可能にしたエレベータの遠隔操作装置が特許文献１に開示されている。
【特許文献１】特開平５−２７８９６２号公報
【発明の開示】
【発明が解決しようとする課題】
【０００３】
ところが、特許文献１に開示されたエレベータの遠隔操作装置は、エレベータ乗場に設けた乗場スイッチ板より離れた位置からリモート操作器を操作し、エレベータの運転モードの切換及び運転の始動，休止をリモート操作器によって行うようにしたものであり、車いす利用者がリモート操作器を常に携帯している必要があり、リモート操作器をエレベータの遠隔操作以外の目的に使用することができず、リモート操作器の汎用性に欠け、エレベータ乗りかご内ではリモート操作器によるエレベータの遠隔操作を行えなかった。
【０００４】
そこで、本発明の目的は、上記の事情に鑑みてなされたものであって、車いすを利用する歩行の不自由な車いす利用者が携帯電話機を所持していれば、エレベータ乗場に設置された乗場操作盤或いはエレベータ乗りかご内に設置されたかご操作盤より離れた位置から携帯電話機を操作するのみで、車いす利用者が車いすの座席に座ったままの状態でエレベータを携帯電話機を使用して遠隔操作することができ、携帯電話機からエレベータにエレベータ乗りかごの乗場呼び登録や行先階登録を行うことができ、車いす利用者の労力を軽減でき、車いす利用者が従来のようなエレベータを遠隔操作するためのリモート操作器を常に携帯している必要もなく、携帯電話機を通常の電話以外のエレベータを遠隔操作するためリモコンとして使用することができ、携帯電話機の汎用性が高く、エレベータ乗りかご内に乗った車いす利用者を携帯電話機から要求のあった階数まで安全且つ円滑に運搬することが可能なエレベータの遠隔制御システムを提供することにある。
【課題を解決するための手段】
【０００５】
本発明のエレベータの遠隔制御システムは、建物内に設置され、乗客を乗せて上下に運搬するためのエレベータ乗りかごを備えたエレベータと、前記エレベータを離れた位置から遠隔操作するためのリモコン機能を備えた携帯電話機とからなり、前記エレベータを前記携帯電話機を使用して無線で遠隔制御するエレベータの遠隔制御システムであって、前記エレベータが、近距離通信部と通信手順管理部と制御記憶部とエレベータ制御部と全体制御部とを有し、前記携帯電話機が、近距離通信部と通信手順設定部と記憶部と入力操作部と表示部と音声出力部と全体制御部とを有し、前記携帯電話機の全体制御部が、前記携帯電話機の入力操作部から入力された前記エレベータ乗りかごの乗場呼びや行先呼びなどの各種の操作信号を前記携帯電話機の近距離通信部を経由して前記エレベータの近距離通信部に送信する機能を備え、前記エレベータの近距離通信部が、前記携帯電話機の近距離通信部から送信された前記エレベータ乗りかごの乗場呼びや行先呼びなどの各種の操作信号を受信する機能を備え、前記エレベータのエレベータ制御部が、受信した前記エレベータ乗りかごの乗場呼びや行先呼びなどの各種の操作信号に応じて前記エレベータの運転を自動的に制御する機能を備えたことを特徴とする構成を有するものである。
【０００６】
上記に記載の本発明によれば、携帯電話機の全体制御部が携帯電話機の入力操作部から入力されたエレベータ乗りかごの乗場呼びや行先呼びなどの各種の操作信号を携帯電話機の近距離通信部を経由してエレベータの近距離通信部に送信するので、エレベータ乗りかごの乗場呼びや行先呼びなどの各種の操作信号を携帯電話機からエレベータに送ることができ、車いす利用者がエレベータ乗場に設置された乗場操作盤やエレベータ乗りかご内に設置されたかご操作盤を直接手で操作する必要もなく、エレベータの近距離通信部が携帯電話機の近距離通信部から送信されたエレベータ乗りかごの乗場呼びや行先呼びなどの各種の操作信号を受信するので、エレベータが携帯電話機からのエレベータ乗りかごの乗場呼びや行先呼びなどの各種の操作信号を得ることができ、車いす利用者が車いすの座席に座ったままの状態で携帯電話機を使用してエレベータ乗りかごの乗場呼び登録や行先階登録などを行え、車いす利用者の労力を軽減でき、エレベータのエレベータ制御部が受信したエレベータ乗りかごの乗場呼びや行先呼びなどの各種の操作信号に応じてエレベータの運転を自動的に制御するので、エレベータ乗りかご内に乗った車いす利用者を携帯電話機から要求のあった階数まで安全且つ円滑に運搬することができる。
【０００７】
本発明のエレベータの遠隔制御システムは、上記携帯電話機の全体制御部が、前記携帯電話機の近距離通信部と上記エレベータの近距離通信部との間での通信が不可能である場合に、通信手順の規約である通信プロトコルを設定する機能を備えている。
【０００８】
上記に記載の本発明によれば、携帯電話機の近距離通信部とエレベータの近距離通信部との間での通信が不可能である場合に、携帯電話機の全体制御部が通信手順の規約である通信プロトコルを設定するので、携帯電話機の近距離通信部とエレベータの近距離通信部との間での通信を通信プロトコルに従って行うことができる。
【０００９】
本発明のエレベータの遠隔制御システムは、上記携帯電話機の全体制御部が、上記通信プロトコルの送信要求を前記携帯電話機の近距離通信部を経由して上記エレベータの近距離通信部に送信する機能を備え、前記エレベータの近距離通信部が、前記携帯電話機の近距離通信部から送信された前記通信プロトコルの送信要求を受信する機能を備えている。
【００１０】
上記に記載の本発明によれば、携帯電話機の全体制御部が通信プロトコルの送信要求を携帯電話機の近距離通信部を経由してエレベータの近距離通信部に送信するので、車いす利用者が携帯電話機からエレベータに対して通信プロトコルの送信を要求することができ、エレベータの近距離通信部が携帯電話機の近距離通信部から送信された通信プロトコルの送信要求を受信するので、エレベータが携帯電話機からの通信プロトコルの送信の要求を受理することができる。
【００１１】
本発明のエレベータの遠隔制御システムは、上記エレベータの全体制御部が、上記携帯電話機から前記エレベータに上記通信プロトコルの送信要求がある場合に、前記通信プロトコルの送信要求に応答して通信手順を管理する前記エレベータの通信手順管理部から前記通信プロトコルを取得する機能と、取得した前記通信プロトコルを前記エレベータの近距離通信部を経由して前記携帯電話機の近距離通信部に送信する機能とを備え、前記携帯電話機の近距離通信部が、前記エレベータの近距離通信部から送信された前記通信プロトコルを受信する機能を備え、前記携帯電話機の全体制御部が、受信した前記通信プロトコルを前記携帯電話機の通信手順設定部に記憶する機能を備えている。
【００１２】
上記に記載の本発明によれば、携帯電話機からエレベータに通信プロトコルの送信要求がある場合に、エレベータの全体制御部が通信プロトコルの送信要求に応答して通信手順を管理するエレベータの通信手順管理部から通信プロトコルを取得し、エレベータの全体制御部が取得した通信プロトコルをエレベータの近距離通信部を経由して携帯電話機の近距離通信部に送信するので、エレベータが携帯電話機からの通信プロトコルの送信要求に迅速に対処することができ、携帯電話機の近距離通信部がエレベータの近距離通信部から送信された通信プロトコルを受信するので、携帯電話機がエレベータから通信プロトコルを得ることができ、携帯電話機の全体制御部が受信した通信プロトコルを携帯電話機の通信手順設定部に記憶するので、受信した通信プロトコルを携帯電話機の通信手順設定部により管理することができる。
【００１３】
本発明のエレベータの遠隔制御システムは、上記携帯電話機の全体制御部が、上記エレベータ乗りかごの乗場呼び登録や行先階登録などのエレベータサービスの要求を前記携帯電話機の近距離通信部を経由して上記エレベータの近距離通信部に送信する機能を備え、前記エレベータの近距離通信部が、前記携帯電話機の近距離通信部から送信された前記エレベータ乗りかごの乗場呼び登録や行先階登録などのエレベータサービスの要求を受信する機能を備えている。
【００１４】
上記に記載の本発明によれば、携帯電話機の全体制御部がエレベータ乗りかごの乗場呼び登録や行先階登録などのエレベータサービスの要求を携帯電話機の近距離通信部を経由してエレベータの近距離通信部に送信するので、車いす利用者が携帯電話機からエレベータに対してエレベータ乗りかごの乗場呼び登録や行先階登録などのエレベータサービスを要求することができ、エレベータの近距離通信部が携帯電話機の近距離通信部から送信されたエレベータ乗りかごの乗場呼び登録や行先階登録などのエレベータサービスの要求を受信するので、エレベータが携帯電話機からのエレベータ乗りかごの乗場呼び登録や行先階登録などのエレベータサービスの要求を受理することができる。
【００１５】
本発明のエレベータの遠隔制御システムは、上記エレベータの全体制御部が、上記携帯電話機から前記エレベータに上記エレベータ乗りかごの乗場呼び登録や行先階登録などのエレベータサービスの要求がある場合に、上記エレベータ乗りかごの行先の要求階数を前記エレベータの制御記憶部に設定する機能を備えている。
【００１６】
上記に記載の本発明によれば、携帯電話機からエレベータにエレベータ乗りかごの乗場呼び登録や行先階登録などのエレベータサービスの要求がある場合に、エレベータの全体制御部がエレベータ乗りかごの行先の要求階数をエレベータの制御記憶部に設定するので、車いす利用者が携帯電話機を使用してエレベータ乗りかごの行先の要求階数をエレベータに登録することができる。
【００１７】
本発明のエレベータの遠隔制御システムは、上記エレベータの全体制御部が、上記エレベータ乗りかごの上行き要求である場合に、前記エレベータ乗りかごの上行きを前記エレベータの制御記憶部に設定する機能を備えている。
【００１８】
上記に記載の本発明によれば、エレベータ乗りかごの上行き要求である場合に、エレベータの全体制御部がエレベータ乗りかごの上行きをエレベータの制御記憶部に設定するので、車いす利用者が携帯電話機を使用してエレベータ乗りかごの上行きをエレベータに登録することができる。
【００１９】
本発明のエレベータの遠隔制御システムは、上記エレベータの全体制御部が、上記エレベータ乗りかごの下行き要求である場合に、前記エレベータ乗りかごの下行きを前記エレベータの制御記憶部に設定する機能を備えている。
【００２０】
上記に記載の本発明によれば、エレベータ乗りかごの下行き要求である場合に、エレベータの全体制御部がエレベータ乗りかごの下行きをエレベータの制御記憶部に設定するので、車いす利用者が携帯電話機を使用してエレベータ乗りかごの下行きをエレベータに登録することができる。
【００２１】
本発明のエレベータの遠隔制御システムは、上記エレベータの全体制御部が、上記エレベータ乗りかごの行先階数の指定がある場合に、前記エレベータ乗りかごの停止階数を前記エレベータの制御記憶部に設定する機能を備えている。
【００２２】
上記に記載の本発明によれば、エレベータ乗りかごの行先階数の指定がある場合に、エレベータの全体制御部がエレベータ乗りかごの停止階数をエレベータの制御記憶部に設定するので、車いす利用者が携帯電話機を使用してエレベータ乗りかごの停止階数をエレベータに登録することができる。
【００２３】
本発明のエレベータの遠隔制御システムは、上記エレベータの全体制御部が、上記エレベータ乗りかごの乗場呼び登録や行先階登録などのエレベータサービスの要求を受理したことを前記エレベータの近距離通信部を経由して上記携帯電話機の近距離通信部に送信する機能を備えている。
【００２４】
上記に記載の本発明によれば、エレベータの全体制御部がエレベータ乗りかごの乗場呼び登録や行先階登録などのエレベータサービスの要求を受理したことをエレベータの近距離通信部を経由して携帯電話機の近距離通信部に送信するので、エレベータから携帯電話機にエレベータ乗りかごの乗場呼び登録や行先階登録などのエレベータサービスの要求を受け付けたことを通知することができる。
【００２５】
本発明のエレベータの遠隔制御システムは、上記携帯電話機が、通常の電話モードと上記エレベータを遠隔操作するリモコンモードとに切換え可能である。
【００２６】
上記に記載の本発明によれば、携帯電話機が通常の電話モードとエレベータを遠隔操作するリモコンモードとに切換え可能であるので、携帯電話機を電話モードからリモコンモードに切換えるのみで、携帯電話機をエレベータを遠隔操作するためのリモコンとして使用することができる。
【００２７】
本発明のエレベータの遠隔制御システムは、上記エレベータの全体制御部が、上記携帯電話機を所持した車いすを利用する車いす利用者の入力操作による操作信号を一般の乗客の手動操作よりも優先して受け付ける機能を備えている。
【００２８】
上記に記載の本発明によれば、エレベータの全体制御部が携帯電話機を所持した車いすを利用する車いす利用者の入力操作による操作信号を一般の乗客の手動操作よりも優先して受け付けるので、車いす利用者が一般の乗客の手動操作の終了を長時間待つ必要もない。
【００２９】
本発明のエレベータの遠隔制御システムは、上記携帯電話機の全体制御部が、前記携帯電話機の入力操作部に上記車いす利用者により本人確認用の暗証番号が入力された場合に、入力された前記暗証番号を前記携帯電話機の近距離通信部を経由して上記エレベータの近距離通信部に送信する機能を備え、前記エレベータの近距離通信部が、前記携帯電話機の近距離通信部から送信された前記暗証番号を受信する機能を備え、前記エレベータの全体制御部が、前記携帯電話機の入力操作部から入力された前記暗証番号と前記エレベータの制御記憶部に予め登録されている暗証番号とを照合する機能と、入力された前記暗証番号と予め登録されている前記暗証番号とが一致した時、前記携帯電話機の近距離通信部と前記エレベータの近距離通信部との間での通信を許可する機能とを備えている。
【００３０】
上記に記載の本発明によれば、携帯電話機の入力操作部に車いす利用者により本人確認用の暗証番号が入力された場合に、携帯電話機の全体制御部が入力された暗証番号を携帯電話機の近距離通信部を経由してエレベータの近距離通信部に送信するので、車いす利用者の暗証番号を携帯電話機からエレベータに送ることができ、エレベータの近距離通信部が携帯電話機の近距離通信部から送信された暗証番号を受信するので、エレベータが携帯電話機からの暗証番号を取得することができ、エレベータの全体制御部が携帯電話機の入力操作部から入力された暗証番号とエレベータの制御記憶部に予め登録されている暗証番号とを照合するので、携帯電話機を所持した車いす利用者の本人確認を暗証番号により行うことができ、入力された暗証番号と予め登録されている暗証番号とが一致した時、エレベータの全体制御部が携帯電話機の近距離通信部とエレベータの近距離通信部との間での通信を許可するので、正当な携帯電話所有者以外の携帯電話機の使用を未然に防止することができる。
【００３１】
本発明のエレベータの遠隔制御システムは、上記携帯電話機の全体制御部が、上記エレベータ乗りかごが指定された階数に到着したことを前記携帯電話機の表示部に表示する機能を備えている。
【００３２】
上記に記載の本発明によれば、携帯電話機の全体制御部がエレベータ乗りかごが指定された階数に到着したことを携帯電話機の表示部に表示するので、車いす利用者が携帯電話機の表示部を目で見れば、エレベータ乗りかごが指定された階数に到着したことを車いす利用者に対してメールなどによって確実に知らせることができる。
【００３３】
本発明のエレベータの遠隔制御システムは、上記携帯電話機の音声出力部が、上記エレベータ乗りかごが指定された階数に到着したことを音声で出力する機能を備えている。
【００３４】
上記に記載の本発明によれば、携帯電話機の音声出力部がエレベータ乗りかごが指定された階数に到着したことを音声で出力するので、エレベータ乗りかごが指定された階数に到着したことを車いす利用者に対して音声によって確実に知らせることができる。
【００３５】
本発明のエレベータの遠隔制御システムは、上記携帯電話機が、上記エレベータに対して通信を要求する共通信号を送り込む機能を備えている。
【００３６】
上記に記載の本発明によれば、携帯電話機がエレベータに対して通信を要求する共通信号を送り込むので、携帯電話機からエレベータに通信の要求を共通信号を用いて行うことができる。
【００３７】
本発明のエレベータの遠隔制御システムは、上記携帯電話機の全体制御部が、上記エレベータに対応するリモコン操作情報の送信要求を前記携帯電話機の近距離通信部を経由して前記エレベータの近距離通信部に送信する機能を備え、前記エレベータの近距離通信部が、前記携帯電話機の近距離通信部から送信された前記リモコン操作情報の送信要求を受信する機能を備えている。
【００３８】
上記に記載の本発明によれば、携帯電話機の全体制御部がエレベータに対応するリモコン操作情報の送信要求を携帯電話機の近距離通信部を経由してエレベータの近距離通信部に送信するので、車いす利用者が携帯電話機からエレベータに対してリモコン操作情報の送信を要求することができ、エレベータの近距離通信部が携帯電話機の近距離通信部から送信されたリモコン操作情報の送信要求を受信するので、エレベータが携帯電話機からのリモコン操作情報の送信要求を受理することができる。
【００３９】
本発明のエレベータの遠隔制御システムは、上記エレベータの全体制御部が、上記携帯電話機から前記エレベータに上記リモコン操作情報の送信要求がある場合に、前記リモコン操作情報の送信要求に応答して前記エレベータの制御記憶部に記憶されている前記リモコン操作情報を読み出す機能と、読み出した前記リモコン操作情報を前記エレベータの近距離通信部を経由して前記携帯電話機の近距離通信部に送信する機能とを備え、前記携帯電話機の近距離通信部が、前記エレベータの近距離通信部から送信された前記リモコン操作情報を受信する機能を備え、前記携帯電話機の全体制御部が、受信した前記リモコン操作情報を前記携帯電話機の記憶部に記憶する機能を備えている。
【００４０】
上記に記載の本発明によれば、携帯電話機からエレベータにリモコン操作情報の送信要求がある場合に、エレベータの全体制御部がリモコン操作情報の送信要求に応答してエレベータの制御記憶部に記憶されているリモコン操作情報を読み出し、エレベータの全体制御部が読み出したリモコン操作情報をエレベータの近距離通信部を経由して携帯電話機の近距離通信部に送信するので、エレベータから携帯電話機にリモコン操作情報を提供することができ、携帯電話機の近距離通信部がエレベータの近距離通信部から送信されたリモコン操作情報を受信するので、携帯電話機がエレベータからリモコン操作情報を得ることができ、携帯電話機の全体制御部が受信したリモコン操作情報を携帯電話機の記憶部に記憶するので、車いす利用者が携帯電話機を使用してエレベータをリモート操作することができる。
【００４１】
本発明のエレベータの遠隔制御システムは、上記リモコン操作情報が、上記携帯電話機を汎用リモコン設定する情報を含んでいる。
【００４２】
上記に記載の本発明によれば、リモコン操作情報が携帯電話機を汎用リモコン設定する情報を含んでいるので、携帯電話機を汎用リモコンとして用いることができる。
【００４３】
本発明のエレベータの遠隔制御システムは、上記携帯電話機が、上記エレベータとの最適な通信モードを自動的に設定するオートネゴシエーション機能付き汎用リモコンである。
【００４４】
上記に記載の本発明によれば、携帯電話機がエレベータとの最適な通信モードを自動的に設定するオートネゴシエーション機能付き汎用リモコンであるので、携帯電話機とエレベータとの間での無線通信をスムーズに行うことができる。
【発明の効果】
【００４５】
以上に述べたように、本発明によれば、車いすを利用する歩行の不自由な車いす利用者が携帯電話機を所持していれば、エレベータ乗場に設置された乗場操作盤或いはエレベータ乗りかご内に設置されたかご操作盤より離れた位置から携帯電話機を操作するのみで、車いす利用者が車いすの座席に座ったままの状態でエレベータを携帯電話機を使用して遠隔操作することができ、携帯電話機からエレベータにエレベータ乗りかごの乗場呼び登録や行先階登録を行うことができ、車いす利用者の労力を軽減でき、車いす利用者が従来のようなエレベータを遠隔操作するためのリモート操作器を常に携帯している必要もなく、携帯電話機を通常の電話以外のエレベータを遠隔操作するためリモコンとして使用することができ、携帯電話機の汎用性が高く、エレベータ乗りかご内に乗った車いす利用者を携帯電話機から要求のあった階数まで安全且つ円滑に運搬することが可能なエレベータの遠隔制御システムを得ることができる。
【発明を実施するための最良の形態】
【００４６】
以下、本発明を実施するための最良の形態を図面を参照して詳細に説明する。
【実施例】
【００４７】
本発明のエレベータの遠隔制御システムＳは、図示しない建物内に設置され、乗客を乗せて上下に運搬するためのエレベータ乗りかご３を備えたエレベータ１と、エレベータ１を離れた位置から遠隔操作するためのリモコン機能を備えた携帯電話機２とからなり、エレベータ１を携帯電話機２を使用して無線で遠隔制御するシステムである。
【００４８】
本発明のエレベータの遠隔制御システムＳは、エレベータ１が、近距離通信部１０と通信手順管理部１１と制御記憶部１２とエレベータ制御部１３と全体制御部１４とを有し、携帯電話機２が、近距離通信部２０と通信手順設定部２１と記憶部２２と入力操作部２３と表示部２４と音声出力部２５と全体制御部２６とを有し、携帯電話機２の全体制御部２６が、携帯電話機２の入力操作部２３から入力されたエレベータ乗りかご３の乗場呼びや行先呼びなどの各種の操作信号を携帯電話機２の近距離通信部２０を経由してエレベータ１の近距離通信部１０に送信する機能を備え、エレベータ１の近距離通信部１０が、携帯電話機２の近距離通信部２０から送信されたエレベータ乗りかご３の乗場呼びや行先呼びなどの各種の操作信号を受信する機能を備え、エレベータ１のエレベータ制御部１３が、受信したエレベータ乗りかご３の乗場呼びや行先呼びなどの各種の操作信号に応じてエレベータ１の運転を自動的に制御する機能を備えている。
【００４９】
本発明のエレベータの遠隔制御システムＳは、携帯電話機２の全体制御部２６が、携帯電話機２の近距離通信部２０とエレベータ１の近距離通信部１０との間での通信が不可能である場合に、通信手順の規約である通信プロトコルを設定する機能を備えている。
【００５０】
本発明のエレベータの遠隔制御システムＳは、携帯電話機２の全体制御部２６が、通信プロトコルの送信要求を携帯電話機２の近距離通信部２０を経由してエレベータ１の近距離通信部１０に送信する機能を備え、エレベータ１の近距離通信部１０が、携帯電話機２の近距離通信部２０から送信された通信プロトコルの送信要求を受信する機能を備えている。
【００５１】
本発明のエレベータの遠隔制御システムＳは、エレベータ１の全体制御部１４が、携帯電話機２からエレベータ１に通信プロトコルの送信要求がある場合に、通信プロトコルの送信要求に応答して通信手順を管理するエレベータ１の通信手順管理部１１から通信プロトコルを取得する機能と、取得した通信プロトコルをエレベータ１の近距離通信部１０を経由して携帯電話機２の近距離通信部２０に送信する機能とを備え、携帯電話機２の近距離通信部２０が、エレベータ１の近距離通信部１０から送信された通信プロトコルを受信する機能を備え、携帯電話機２の全体制御部２６が、受信した通信プロトコルを携帯電話機２の通信手順設定部２１に記憶する機能を備えている。
【００５２】
本発明のエレベータの遠隔制御システムＳは、携帯電話機２の全体制御部２６が、エレベータ乗りかご３の乗場呼び登録や行先階登録などのエレベータサービスの要求を携帯電話機２の近距離通信部２０を経由してエレベータ１の近距離通信部１０に送信する機能を備え、エレベータ１の近距離通信部１０が、携帯電話機２の近距離通信部２０から送信されたエレベータ乗りかご３の乗場呼び登録や行先階登録などのエレベータサービスの要求を受信する機能を備えている。
【００５３】
本発明のエレベータの遠隔制御システムＳは、エレベータ１の全体制御部１４が、携帯電話機２からエレベータ１にエレベータ乗りかご３の乗場呼び登録や行先階登録などのエレベータサービスの要求がある場合に、エレベータ乗りかご３の行先の要求階数をエレベータ１の制御記憶部１２に設定する機能を備えている。
【００５４】
本発明のエレベータの遠隔制御システムＳは、エレベータ１の全体制御部１４が、エレベータ乗りかご３の上行き要求である場合に、エレベータ乗りかご３の上行きをエレベータ１の制御記憶部１２に設定する機能を備えている。
【００５５】
本発明のエレベータの遠隔制御システムＳは、エレベータ１の全体制御部１４が、エレベータ乗りかご３の下行き要求である場合に、エレベータ乗りかご３の下行きをエレベータ１の制御記憶部１２に設定する機能を備えている。
【００５６】
本発明のエレベータの遠隔制御システムＳは、エレベータ１の全体制御部１４が、エレベータ乗りかご３の行先階数の指定がある場合に、エレベータ乗りかご３の停止階数をエレベータ１の制御記憶部１２に設定する機能を備えている。
【００５７】
本発明のエレベータの遠隔制御システムＳは、エレベータ１の全体制御部１４が、エレベータ乗りかご３の乗場呼び登録や行先階登録などのエレベータサービスの要求を受理したことをエレベータ１の近距離通信部１０を経由して携帯電話機２の近距離通信部２０に送信する機能を備えている。
【００５８】
本発明のエレベータの遠隔制御システムＳは、携帯電話機２が、通常の電話モードとエレベータ１を遠隔操作するリモコンモードとに切換え可能である。
【００５９】
本発明のエレベータの遠隔制御システムＳは、エレベータ１の全体制御部１４が、携帯電話機２を所持した車いす４を利用する車いす利用者４０の入力操作による操作信号を一般の乗客の手動操作よりも優先して受け付ける機能を備えている。
【００６０】
本発明のエレベータの遠隔制御システムＳは、携帯電話機２の全体制御部２６が、携帯電話機２の入力操作部２３に車いす利用者４０により本人確認用の暗証番号が入力された場合に、入力された暗証番号を携帯電話機２の近距離通信部２０を経由してエレベータ１の近距離通信部１０に送信する機能を備え、エレベータ１の近距離通信部１０が、携帯電話機２の近距離通信部２０から送信された暗証番号を受信する機能を備え、エレベータ１の全体制御部１４が、携帯電話機２の入力操作部２３から入力された暗証番号とエレベータ１の制御記憶部１２に予め登録されている暗証番号とを照合する機能と、入力された暗証番号と予め登録されている暗証番号とが一致した時、携帯電話機２の近距離通信部２０とエレベータ１の近距離通信部１０との間での通信を許可する機能とを備えている。
【００６１】
本発明のエレベータの遠隔制御システムＳは、携帯電話機２の全体制御部２６が、エレベータ乗りかご３が指定された階数に到着したことを携帯電話機２の表示部２４に表示する機能を備えている。
【００６２】
本発明のエレベータの遠隔制御システムＳは、携帯電話機２の音声出力部２５が、エレベータ乗りかご３が指定された階数に到着したことを音声で出力する機能を備えている。
【００６３】
本発明のエレベータの遠隔制御システムＳは、携帯電話機２が、エレベータ１に対して通信を要求する共通信号を送り込む機能を備えている。
【００６４】
本発明のエレベータの遠隔制御システムＳは、携帯電話機２の全体制御部２６が、エレベータ１に対応するリモコン操作情報の送信要求を携帯電話機２の近距離通信部２０を経由してエレベータ１の近距離通信部１０に送信する機能を備え、エレベータ１の近距離通信部１０が、携帯電話機２の近距離通信部２０から送信されたリモコン操作情報の送信要求を受信する機能を備えている。
【００６５】
本発明のエレベータの遠隔制御システムＳは、エレベータ１の全体制御部１４が、携帯電話機２からエレベータ１にリモコン操作情報の送信要求がある場合に、リモコン操作情報の送信要求に応答してエレベータ１の制御記憶部１２に記憶されているリモコン操作情報を読み出す機能と、読み出したリモコン操作情報をエレベータ１の近距離通信部１０を経由して携帯電話機２の近距離通信部２０に送信する機能とを備え、携帯電話機２の近距離通信部２０が、エレベータ１の近距離通信部１０から送信されたリモコン操作情報を受信する機能を備え、携帯電話機２の全体制御部２６が、受信したリモコン操作情報を携帯電話機２の記憶部２２に記憶する機能を備えている。
【００６６】
本発明のエレベータの遠隔制御システムＳは、リモコン操作情報が、携帯電話機２を汎用リモコン設定する情報を含んでいる。
【００６７】
本発明のエレベータの遠隔制御システムＳは、携帯電話機２が、エレベータ１との最適な通信モードを自動的に設定するオートネゴシエーション機能付き汎用リモコンである。
【００６８】
図１は、本発明に係る実施例のエレベータの遠隔制御システムの概念構成を示すブロック図である。
エレベータ１側は、図１に示すように、携帯電話機２の近距離通信部２０との近距離通信を行う近距離通信部１０と、通信手順を管理する通信手順管理部１１と、エレベータ１を制御するための制御情報を記憶する制御記憶部１２と、エレベータ乗りかご３を昇降・停止させるエレベータ駆動部１５と、エレベータ乗りかご３の運行を制御するエレベータ制御部１３と、エレベータ１の乗場ドア及びかごドアの開閉を行うドア開閉部１６と、エレベータ乗りかご３の行先を管理する行先管理部１７と、エレベータ全体を制御する全体制御部１４と、エレベータ全体に必要な電力を供給する電源部１８とを有している。
【００６９】
携帯電話機２側は、図１に示すように、エレベータ１の近距離通信部１０との近距離通信を行う近距離通信部２０と、通信手順を設定する通信手順設定部２１と、リモコン操作情報を記憶する記憶部２２と、携帯電話の電波を送受信する携帯電話送受信部２７と、携帯電話の各種情報の入力操作を行う入力操作部２３と、電話番号，メール，画像など各種のデータを表示する表示部２４と、電話・メールの着信音の音データを音声で出力する音声出力部２５と、エレベータ乗りかご３の行先を管理する行先管理部２８と、携帯電話機全体を制御する全体制御部２６と、携帯電話機全体に必要な電力を供給する電源部２９とを有している。
【００７０】
図２は、本発明に係る実施例のエレベータの遠隔制御システムにおけるエレベータ乗場での車いす利用者の所持する携帯電話機からエレベータへのエレベータ乗りかごの行先送信状態を示す正面図である。
建物５の各階のエレベータ乗場の乗場壁５０には、図２に示すように、乗場側のエレベータ出入口となる開口した乗場出入口５１が形成され、エレベータ乗場の乗場壁５０の乗場出入口５１には一対の乗場ドア５２，５２が開閉自在に配置されている。
【００７１】
エレベータ乗場の乗場壁５０の乗場出入口５１の一側部には、図２に示すように、エレベータ乗りかご３の上り呼びを登録する乗場上り呼びボタン５３ａとエレベータ乗りかご３の下り呼びを登録する乗場下り呼びボタン５３ｂとを備えた乗場操作盤５３が設置されている。
【００７２】
エレベータ乗場の乗場壁５０の乗場操作盤５３の上部には、図２に示すように、車いす４を利用する車いす利用者４０の所持する携帯電話機２から送信されたリモコン信号を受信する乗場受信部５３ｃが設置されている。
【００７３】
エレベータ乗場の乗場壁５０の乗場出入口５１の上部には、図２に示すように、エレベータ乗りかご３の現在位置を表示する乗場インジケータ５４が設置されている。
【００７４】
図３は、本発明に係る実施例のエレベータの遠隔制御システムにおけるエレベータ乗りかご内での車いす利用者の所持する携帯電話機から送信されたエレベータ乗りかごの行先受信状態を示す説明図である。
エレベータ１のエレベータ乗りかご３のかご前板３０には、図３に示すように、乗りかご側のエレベータ出入口となる開口したかご出入口３１が形成され、エレベータ乗りかご３のかご前板３０のかご出入口３１には一対のかごドア３２，３２が開閉自在に配置されている。
乗場ドア５２，５２は、かごドア３２，３２と連動して開閉されるようになっている。
【００７５】
エレベータ乗りかご３内には、図３に示すように、かご前板３０のかご出入口３１の一側部にかごドア３２，３２を開放するためのドア開ボタン３３ａとかごドア３２，３２を閉鎖するためのドア閉ボタン３３ｂとエレベータ乗りかご３の行先階数を登録する行先階ボタン３３ｃとを備えたかご操作盤３３が設置されている。
【００７６】
また、エレベータ乗りかご３内には、図３に示すように、かご操作盤３３の上部に車いす４を利用する車いす利用者４０の所持する携帯電話機２から送信されたリモコン信号を受信するかご内受信部３４が設置されている。
【００７７】
さらに、エレベータ乗りかご３内には、図３に示すように、かご前板３０のかご出入口３１の上部にエレベータ乗りかご３の現在位置を表示するかご内インジケータ３５が設置されている。
【００７８】
エレベータ乗りかご３のかご天井３６には、かご室内を照明する照明器具（図示せず）とかご室内を換気する換気ファン（図示せず）と車いす４を利用する車いす利用者４０の所持する携帯電話機２から送信されたリモコン信号を受信するかご内受信部３７が設置されている。
【００７９】
図４は、本発明に係る実施例のエレベータの遠隔制御システムにおける車いす利用者の所持する携帯電話機を示す正面図である。
携帯電話機２は、折り畳みタイプであり、図４に示すように、伸縮式のアンテナ６０，受話器６１，表示画面２４ａを有する液晶表示パネルからなる表示部２４を配設した第１の筐体６２と、送話器６３，エレベータ乗りかご３の下り呼びを指示するプッシュ式の乗場下り呼びボタン６４やエレベータ乗りかご３の上り呼びを指示するプッシュ式の乗場上り呼びボタン６５やエレベータ乗りかご３の行先階数を指定する複数のプッシュ式の操作ボタン６６を有する操作パネルからなる入力操作部２３を配設した第２の筐体６７とを備えており、第１の筐体６２及び第２の筐体６７から携帯電話機本体が構成されている。
【００８０】
携帯電話機２の第１の筐体６２には、ヒンジの円筒形のバレル６２ａが一体に形成されている。
【００８１】
携帯電話機２の第２の筐体６７には、第１の筐体６２のバレル６２ａに係合するヒンジの円筒形のバレル６７ａが一体に形成されている。
【００８２】
携帯電話機２は、第１の筐体６２のバレル６２ａと第２の筐体６７のバレル６７ａとがヒンジピン６８を介して揺動自在に連結されている。
【００８３】
図５は、本発明に係る実施例のエレベータの遠隔制御システムにおける通信プロトコルの初期設定時の処理フロー図である。
ステップＳ１００でスタートした処理は、通信プロトコルの初期設定時に、まず、ステップＳ１０１でエレベータ１と携帯電話機２との通信が可能であるかを判断する。
ステップＳ１０１において、エレベータ１と携帯電話機２との通信が可能でない場合は、ステップＳ１０２に移行し、ステップＳ１０２で通信プロトコルを携帯電話機２に設定する。
【００８４】
図６は、本発明に係る実施例のエレベータの遠隔制御システムにおける携帯電話機からエレベータにエレベータサービスの要求時の処理フロー図である。
ステップＳ２００でスタートした処理は、携帯電話機２からエレベータ１にエレベータ乗りかご３の乗場呼び登録や行先階登録などのエレベータサービスの要求時に、まず、ステップＳ２０１で携帯電話機２からエレベータ１にエレベータサービスの要求があるかを判断する。
【００８５】
ステップＳ２０１において、携帯電話機２からエレベータ１にエレベータサービスの要求がある場合は、ステップＳ２０２に移行し、ステップＳ２０２でエレベータ１の制御記憶部１２に携帯電話機２からの要求階数を設定し、次いで、ステップＳ２０３で携帯電話機２からエレベータ１へのエレベータ乗りかご３の行先要求が上行きであるかを判断する。
【００８６】
ステップＳ２０３において、携帯電話機２からエレベータ１へのエレベータ乗りかご３の行先要求が上行きである場合は、ステップＳ２０４に移行し、ステップＳ２０４でエレベータ乗りかご３の上行きをエレベータ１の制御記憶部１２に設定する。
【００８７】
ステップＳ２０３において、携帯電話機２からエレベータ１へのエレベータ乗りかご３の行先要求が上行きでない場合は、ステップＳ２０５に移行し、ステップＳ２０５で携帯電話機２からエレベータ１へのエレベータ乗りかご３の行先要求が下行きであるかを判断する。
【００８８】
ステップＳ２０５において、携帯電話機２からエレベータ１へのエレベータ乗りかご３の行先要求が下行きである場合は、ステップＳ２０６に移行し、ステップＳ２０６でエレベータ乗りかご３の下行きをエレベータ１の制御記憶部１２に設定する。
【００８９】
ステップＳ２０５において、携帯電話機２からエレベータ１へのエレベータ乗りかご３の行先要求が下行きでない場合は、ステップＳ２０７に移行し、ステップＳ２０７で携帯電話機２からエレベータ１にエレベータ乗りかご３の行先階である停止階数の指定があるかを判断する。
【００９０】
ステップＳ２０７において、携帯電話機２からエレベータ１にエレベータ乗りかご３の行先階である停止階数の指定がある場合は、ステップＳ２０８に移行し、ステップＳ２０８でエレベータ乗りかご３の停止階数をエレベータ１の制御記憶部１２に設定する。
【００９１】
ステップＳ２０７において、携帯電話機２からエレベータ１にエレベータ乗りかご３の行先階である停止階数の指定がない場合は、ステップＳ２０９に移行し、ステップＳ２０９でエレベータ１から携帯電話機２にエレベータサービスの要求を受理したことを送信する。
【００９２】
図７は、本発明に係る実施例のエレベータの遠隔制御システムにおける携帯電話機への通信プロトコルの初期設定時の処理フロー図である。
ステップＳ３００でスタートした処理は、携帯電話機２への通信プロトコルの初期設定時に、まず、ステップＳ３０１で携帯電話機２からエレベータ１に通信プロトコルの送信を要求し、次いで、ステップＳ３０２でエレベータ１側より携帯電話機２に通信プロトコルを送信し、次いで、ステップＳ３０３で携帯電話機２は通信手順設定部２１に通信プロトコルを記憶する。
【００９３】
図８は、本発明に係る実施例のエレベータの遠隔制御システムにおける携帯電話機からエレベータへのエレベータ乗りかごの行先送信時の処理フロー図である。
ステップＳ４００でスタートした処理は、携帯電話機２からエレベータ１へのエレベータ乗りかご３の行先送信時に、まず、ステップＳ４０１で携帯電話機２とエレベータ１との通信が可能であるかを判断する。
【００９４】
ステップＳ４０１において、携帯電話機２とエレベータ１との通信が可能でない場合は、ステップＳ４０２に移行し、ステップＳ４０２でエレベータ１側に通信プロトコルの初期設定を要求する。
【００９５】
ステップＳ４０１において、携帯電話機２とエレベータ１との通信が可能である場合は、ステップＳ４０３に移行し、ステップＳ４０３でエレベータ乗りかご３の行先が上行き指示であるかを判断する。
【００９６】
ステップＳ４０３において、エレベータ乗りかご３の行先が上行き指示である場合は、ステップＳ４０４に移行し、ステップＳ４０４で携帯電話機２からエレベータ１にエレベータ乗りかご３の上行き指示を送信する。
【００９７】
ステップＳ４０３において、エレベータ乗りかご３の行先が上行き指示でない場合は、ステップＳ４０５に移行し、ステップＳ４０５でエレベータ乗りかご３の行先が下行き指示であるかを判断する。
【００９８】
ステップＳ４０５において、エレベータ乗りかご３の行先が下行き指示である場合は、ステップＳ４０６に移行し、ステップＳ４０６で携帯電話機２からエレベータ１にエレベータ乗りかご３の下行き指示を送信する。
【００９９】
ステップＳ４０５において、エレベータ乗りかご３の行先が下行き指示でない場合は、ステップＳ４０７に移行し、ステップＳ４０７でエレベータ乗りかご３の行先階数の指定であるかを判断する。
【０１００】
ステップＳ４０７において、エレベータ乗りかご３の行先階数の指定である場合は、ステップＳ４０８に移行し、ステップＳ４０８で携帯電話機２からエレベータ１にエレベータ乗りかご３の行先階数を送信する。
【０１０１】
ステップＳ４０７において、エレベータ乗りかご３の行先階数の指定でない場合は、ステップＳ４０９に移行し、ステップＳ４０９でエレベータ乗りかご３の行先または行先階数の指定のリセットが有りかを判断する。
【０１０２】
ステップＳ４０９において、エレベータ乗りかご３の行先または行先階数の指定のリセットが有りの場合は、ステップＳ４１０に移行し、ステップＳ４１０で携帯電話機２からエレベータ１にエレベータ乗りかご３の行先または行先階数の指定のリセットを送信する。
【０１０３】
ステップＳ４０９において、エレベータ乗りかご３の行先または行先階数の指定のリセットが無しの場合は、ステップＳ４１１に移行し、ステップＳ４１１でエレベータ乗りかご３の行先の送信が終了であるかを判断する。
【０１０４】
ステップＳ４１１において、エレベータ乗りかご３の行先の送信が終了でない場合は、ステップＳ４０３に戻る。
【０１０５】
図９は、本発明に係る実施例のエレベータの遠隔制御システムにおけるエレベータ側での携帯電話機から送信されたエレベータ乗りかごの行先受信時の処理フロー図である。
ステップＳ５００でスタートした処理は、エレベータ１側での携帯電話機２から送信されたエレベータ乗りかご３の行先受信時に、まず、ステップＳ５０１で建物５のエレベータ乗場に居る車いす４を利用する車いす利用者４０の所持する携帯電話機２からエレベータ１に通信要求があるかを判断する。
【０１０６】
ステップＳ５０１において、建物５のエレベータ乗場に居る車いす４を利用する車いす利用者４０の所持する携帯電話機２からエレベータ１に通信要求がある場合は、ステップＳ５０２に移行し、ステップＳ５０２で携帯電話機２から要求のあった建物５のエレベータ乗場の階数をエレベータ１の制御記憶部１２にセットし、次いで、ステップＳ５０３で携帯電話機２からのエレベータ乗りかご３の上行き要求であるかを判断する。
【０１０７】
ステップＳ５０３において、建物５のエレベータ乗場に居る車いす４を利用する車いす利用者４０の所持する携帯電話機２からのエレベータ乗りかご３の上行き要求である場合は、ステップＳ５０４に移行し、ステップＳ５０４でエレベータ乗りかご３の上行きをエレベータ１の制御記憶部１２にセットする。
【０１０８】
ステップＳ５０３において、携帯電話機２からのエレベータ乗りかご３の上行き要求でない場合は、ステップＳ５０５に移行し、ステップＳ５０５で携帯電話機２からのエレベータ乗りかご３の下行き要求であるかを判断する。
【０１０９】
ステップＳ５０５において、携帯電話機２からのエレベータ乗りかご３の下行き要求である場合は、ステップＳ５０６に移行し、ステップＳ５０６でエレベータ乗りかご３の下行きをエレベータ１の制御記憶部１２にセットする。
【０１１０】
ステップＳ５０５において、携帯電話機２からのエレベータ乗りかご３の下行き要求でない場合は、ステップＳ５０７に移行し、ステップＳ５０７で携帯電話機２からのエレベータ乗りかご３の行先階数の指定要求であるかを判断する。
【０１１１】
ステップＳ５０７において、携帯電話機２からのエレベータ乗りかご３の行先階数の指定要求である場合は、ステップＳ５０８に移行し、ステップＳ５０８でエレベータ乗りかご３の停止する行先階数をエレベータ１の制御記憶部１２にセットする。
【０１１２】
ステップＳ５０７において、携帯電話機２からのエレベータ乗りかご３の行先階数の指定要求でない場合は、ステップＳ５０９に移行し、ステップＳ５０９で携帯電話機２からのエレベータ乗りかご３の上行き，下行き，停止する行先階数のリセット要求であるかを判断する。
【０１１３】
ステップＳ５０９において、携帯電話機２からのエレベータ乗りかご３の上行き，下行き，停止する行先階数のリセット要求である場合は、ステップＳ５１０に移行し、ステップＳ５１０でエレベータ乗りかご３の上行き，下行き，停止する行先階数のセットをリセットする。
【０１１４】
ステップＳ５０９において、携帯電話機２からのエレベータ乗りかご３の上行き，下行き，停止する行先階数のリセット要求でない場合は、ステップＳ５１１に移行し、ステップＳ５１１でエレベータ乗りかご３の上行き，下行き，停止する行先階数のセットが終了であるかを判断する。
【０１１５】
ステップＳ５１１において、エレベータ乗りかご３の上行き，下行き，停止する行先階数のセットが終了でない場合は、ステップＳ５０１に戻る。
【０１１６】
図１０は、本発明に係る実施例のエレベータの遠隔制御システムにおけるエレベータ乗りかご内での携帯電話機から送信されたエレベータ乗りかごの行先受信時の処理フロー図である。
ステップＳ６００でスタートした処理は、エレベータ１側での携帯電話機２から送信されたエレベータ乗りかご３の行先受信時に、まず、ステップＳ６０１でエレベータ乗りかご３内に乗っている車いす４を利用する車いす利用者４０の所持する携帯電話機２からエレベータ１に通信要求があるかを判断する。
【０１１７】
ステップＳ６０１において、エレベータ乗りかご３内に乗っている車いす４を利用する車いす利用者４０の所持する携帯電話機２からエレベータ１に通信要求がある場合は、ステップＳ６０２に移行し、ステップＳ６０２でエレベータ乗りかご３の行先が行く方向と逆であるかを判断する。
【０１１８】
ステップＳ６０２において、エレベータ乗りかご３の行先が行く方向と逆である場合は、ステップＳ６０３に移行し、ステップＳ６０３でエレベータ１から携帯電話機２にアラームを転送する。
【０１１９】
ステップＳ６０２において、エレベータ乗りかご３の行先が行く方向と逆でない場合は、ステップＳ６０４に移行し、ステップＳ６０４でエレベータ乗りかご３の停止する行先階数の指定であるかを判断する。
【０１２０】
ステップＳ６０４において、エレベータ乗りかご３の停止する行先階数の指定である場合は、ステップＳ６０５に移行し、ステップＳ６０５でエレベータ乗りかご３の停止する行先階数をエレベータ１の制御記憶部１２にセットする。
【０１２１】
ステップＳ６０４において、エレベータ乗りかご３の停止する行先階数の指定でない場合は、ステップＳ６０６に移行し、ステップＳ６０６でエレベータ乗りかご３を次の階も停止するかを判断する。
【０１２２】
ステップＳ６０６において、エレベータ乗りかご３を次の階も停止する場合は、ステップＳ６０７に移行し、ステップＳ６０７でエレベータ乗りかご３を次の階で停止するようにエレベータ１の制御記憶部１２にセットする。
【０１２３】
ステップＳ６０６において、エレベータ乗りかご３を次の階も停止しない場合は、ステップＳ６０８に移行し、ステップＳ６０８で車いす利用者４０がエレベータ乗りかご３内から降りるかを判断する。
【０１２４】
ステップＳ６０８において、車いす利用者４０がエレベータ乗りかご３内から降りる場合は、ステップＳ６０９に移行し、ステップＳ６０９で車いす利用者４０がエレベータ乗りかご３内から降りる時間を自動延長する。
【図面の簡単な説明】
【０１２５】
【図１】本発明に係る実施例のエレベータの遠隔制御システムの概念構成を示すブロック図。
【図２】本発明に係る実施例のエレベータの遠隔制御システムにおけるエレベータ乗場での車いす利用者の所持する携帯電話機からエレベータへのエレベータ乗りかごの行先送信状態を示す正面図。
【図３】本発明に係る実施例のエレベータの遠隔制御システムにおけるエレベータ乗りかご内での車いす利用者の所持する携帯電話機から送信されたエレベータ乗りかごの行先受信状態を示す説明図。
【図４】本発明に係る実施例のエレベータの遠隔制御システムにおける車いす利用者の所持する携帯電話機を示す正面図。
【図５】本発明に係る実施例のエレベータの遠隔制御システムにおける通信プロトコルの初期設定時の処理フローチャート図。
【図６】本発明に係る実施例のエレベータの遠隔制御システムにおける携帯電話機からエレベータにエレベータサービスの要求時の処理フローチャート図。
【図７】本発明に係る実施例のエレベータの遠隔制御システムにおける携帯電話機への通信プロトコルの初期設定時の処理フローチャート図。
【図８】本発明に係る実施例のエレベータの遠隔制御システムにおける携帯電話機からエレベータへのエレベータ乗りかごの行先送信時の処理フローチャート図。
【図９】本発明に係る実施例のエレベータの遠隔制御システムにおけるエレベータ側での携帯電話機から送信されたエレベータ乗りかごの行先受信時の処理フローチャート図。
【図１０】本発明に係る実施例のエレベータの遠隔制御システムにおけるエレベータ乗りかご内での携帯電話機から送信されたエレベータ乗りかごの行先受信時の処理フローチャート図。
【符号の説明】
【０１２６】
１  エレベータ
２  携帯電話機
３  エレベータ乗りかご
４  車いす
５  建物
１０  近距離通信部
１１  通信手順管理部
１２  制御記憶部
１３  エレベータ制御部
１４  全体制御部
１５  エレベータ駆動部
１６  ドア開閉部
１７  行先管理部
１８  電源部
２０  近距離通信部
２１  通信手順設定部
２２  記憶部
２３  入力操作部
２４  表示部
２４ａ  表示画面
２５  音声出力部
２６  全体制御部
２７  携帯電話送受信部
２８  行先管理部
２９  電源部
３０  かご前板
３１  かご出入口
３２  かごドア
３３  かご操作盤
３３ａ  ドア開ボタン
３３ｂ  ドア閉ボタン
３３ｃ  行先階ボタン
３４  かご内受信部
３５  かご内インジケータ
３６  かご天井
３７  かご内受信部
４０  車いす利用者
５０  乗場壁
５１  乗場出入口
５２  乗場ドア
５３  乗場操作盤
５３ａ  乗場上り呼びボタン
５３ｂ  乗場下り呼びボタン
５３ｃ  乗場受信部
５４  乗場インジケータ
６０  アンテナ
６１  受話器
６２  第１の筐体
６２ａ  バレル
６３  送話器
６４  乗場下り呼びボタン
６５  乗場上り呼びボタン
６６  操作ボタン
６７  第２の筐体
６７ａ  バレル
６８  ヒンジピン
Ｓ  エレベータの遠隔制御システム
【図１】
2005096982.tif 000003
【図２】
2005096982.tif 000004
【図３】
2005096982.tif 000005
【図４】
2005096982.tif 000006
【図５】
2005096982.tif 000007
【図６】
2005096982.tif 000008
【図７】
2005096982.tif 000009
【図８】
2005096982.tif 000010
【図９】
2005096982.tif 000011
【図１０】
2005096982.tif 000012